(57)【要約】【課題】内部状態の推定精度を向上させる。【解決手段】投影装置１は、時刻を示す時刻情報を発生するＲＴＣ１４と、１つの動作モードでの動作が開始した時の時刻情報が示す時刻から、１つの動作モードでの動作が終了した時の時刻情報が示す時刻までの経過時間を特定する特定部１７１と、特定部１７１が特定した経過時間の累積値をそれぞれ消費電力が異なる複数の動作モードそれぞれに関連付けて記憶部に記憶させる制御部１７２と、を有する。【選択図】図１
2019152740.tif 000002
【特許請求の範囲】
【請求項１】
時刻を示す時刻情報を発生する時刻発生手段と、
１つの動作モードでの動作が開始した時の前記時刻情報が示す時刻から、前記１つの動作モードでの動作が終了した時の前記時刻情報が示す時刻までの経過時間を特定する特定手段と、
前記特定手段が特定した前記経過時間の累積値を複数の動作モードそれぞれに関連付けて記憶部に記憶させる制御手段と、
を有することを特徴とする投影装置。
【請求項２】
前記制御手段は、それぞれ消費電力が異なる前記複数の動作モードそれぞれに関連付けて前記累積値を前記記憶部に記憶させることを特徴とする、
請求項１に記載の投影装置。
【請求項３】
前記時刻発生手段に電力を供給する電力供給手段をさらに有し、
前記制御手段は、前記電力供給手段の状態が正常であることを条件として前記経過時間を特定することを特徴とする、
請求項１又は２に記載の投影装置。
【請求項４】
前記特定手段は、前記時刻発生手段が発生した前記時刻情報を前記記憶部に記憶させ、前記記憶部に記憶させた前記時刻情報が示す時刻と、前記時刻情報を前記記憶部に記憶させた後に前記時刻発生手段が発生した前記時刻情報が示す時刻との差に基づいて、前記電力供給手段の状態が正常であるか否かを判定することを特徴とする、
請求項３に記載の投影装置。
【請求項５】
前記制御手段は、外部機器から現在時刻を示す現在時刻情報を取得し、取得した前記現在時刻情報が示す前記現在時刻を前記時刻発生手段に設定することを特徴とする、
請求項１から４のいずれか一項に記載の投影装置。
【請求項６】
前記制御手段は、複数の前記外部機器のうち、前記動作モードに基づいて選択した外部機器から前記現在時刻情報を取得することを特徴とする、
請求項５に記載の投影装置。
【請求項７】
前記制御手段は、ユーザにより入力された現在時刻を示す現在時刻情報を取得し、取得した前記現在時刻情報が示す前記現在時刻を前記時刻発生手段に設定することを特徴とする、
請求項１から６のいずれか一項に記載の投影装置。
【請求項８】
前記制御手段は、曜日に関連付けて前記累積値を前記記憶部に記憶させることを特徴とする、
請求項５から７のいずれか一項に記載の投影装置。
【請求項９】
前記制御手段は、曜日に関連付けて予め定められた基準累積値と前記特定手段が特定した前記累積値との間に閾値以上の差がある場合、差があることを外部に通知することを特徴とする、
請求項８に記載の投影装置。
【請求項１０】
前記制御手段は、前記投影装置の使用予定を示す予定情報を作成し、作成した前記予定情報に基づいて前記複数の動作モードから使用する動作モードを選択することを特徴とする、
請求項１から９のいずれか一項に記載の投影装置。
【請求項１１】
光を発する光源をさらに有し、
前記制御手段は、前記光源が点灯している点灯モード及び前記光源が点灯していない非点灯モードのそれぞれに関連付けて、前記経過時間の累積値を前記記憶部に記憶させることを特徴とする
請求項１から１０のいずれか一項に記載の投影装置。
【請求項１２】
外部機器と通信する通信手段をさらに有し、
前記制御手段は、前記通信手段が通信可能な通信モード及び前記通信手段が通信可能でない非通信モードのそれぞれに関連付けて、前記経過時間の累積値を前記記憶部に記憶させることを特徴とする、
請求項１から１１のいずれか一項に記載の投影装置。
【請求項１３】
前記制御手段は、外部装置と通信できない状態で前記投影装置が消費する電力を低減して動作するスタンバイモード、前記投影装置が接続されたネットワークを介して前記投影装置を操作できる状態で動作するネットワークスタンバイモード、光を発する光源を点灯させて画像を投影可能な状態で動作する点灯モード、及び前記光源を点灯させない状態で動作する非点灯モードの少なくともいずれかに関連付けて、前記経過時間の累積値を前記記憶部に記憶させることを特徴とする、
請求項１から１２のいずれか一項に記載の投影装置。
【請求項１４】
画像を投影する投影装置のプロセッサを、
１つの動作モードでの動作が開始した時の時刻から、前記１つの動作モードでの動作が終了した時の時刻までの経過時間を特定する特定手段、及び
前記特定手段が特定した前記経過時間の累積値を複数の動作モードそれぞれに関連付けて記憶部に記憶させる制御手段
として機能させるためのプログラム。
【発明の詳細な説明】
【技術分野】
【０００１】
本発明は、画像を投影する投影装置に関する。
【背景技術】
【０００２】
画像を投影する投影装置には、例えば、光源、光学部品、電源、及び電子回路が搭載されている。投影装置を長期にわたって使用していると、投影装置に搭載される各種部品が故障する場合がある。特許文献１には、ユーザが投影装置の利用を開始した時刻を記憶し、投影装置が故障した場合、記憶した時刻に基づいて投影装置が保証期間内であるか否かを判別する技術が開示されている。
【先行技術文献】
【特許文献】
【０００３】
【特許文献１】特開２０１３−８１０３２号公報
【発明の概要】
【発明が解決しようとする課題】
【０００４】
投影装置には、各種の動作モードがあり、動作モードごとに部品の使用状態が異なるので、投影装置の使用期間が同一であっても、使用される動作モードが異なる場合、部品の劣化度合いが異なることがある。したがって、投影装置の使用期間のみに基づいて装置の内部状態を推定する場合、推定精度が低いという問題があった。
【０００５】
そこで、本発明はこれらの点に鑑みてなされたものであり、内部状態の推定精度を向上させることができる投影装置を提供することを目的とする。
【課題を解決するための手段】
【０００６】
本発明の投影装置は、時刻を示す時刻情報を発生する時刻発生手段と、１つの動作モードでの動作が開始した時の前記時刻情報が示す時刻から、前記１つの動作モードでの動作が終了した時の前記時刻情報が示す時刻までの経過時間を特定する特定手段と、前記特定手段が特定した前記経過時間の累積値を複数の動作モードそれぞれに関連付けて記憶部に記憶させる制御手段と、を有する。
【発明の効果】
【０００７】
本発明によれば、内部状態の推定精度を向上させることができるという効果を奏する。
【図面の簡単な説明】
【０００８】
【図１】投影装置の機能構成を示す図である。
【図２】投影装置が実行する処理のフローチャートである。
【図３】バッテリー異常判定処理のフローチャートである。
【図４】動作モード判定処理のフローチャートである。
【図５】時刻設定処理のフローチャートである。
【図６】曜日に関連付けられた複数の動作モードの累積値を模式的に示す図である。
【図７】予定情報に基づいて動作モードを選択した場合の複数の動作モードの累積値を模式的に示す図である。
【発明を実施するための形態】
【０００９】
［投影装置の概要］
第１の実施形態に係る投影装置は、画像を投影する投影装置であり、複数の動作モードを有する。投影装置は、投影装置１が複数の動作モードのうちの１つの動作モードでの動作を開始した時の時刻を示す時刻情報と、１つの動作モードでの動作を終了したときの時刻を示す時刻情報とを記憶部に記憶させる。続いて、投影装置は、記憶部を参照して、１つの動作モードでの動作を開始した時刻から動作を終了した時刻までの経過時間を特定する。次に、投影装置は、特定した経過時間を累積した累積値を特定する。そして、投影装置は、経過時間の累積値を動作モードに関連付けて記憶部に記憶させる。
【００１０】
投影装置は、複数の動作モードそれぞれにおいて同様の処理を実行することにより、複数の動作モードそれぞれで動作した経過時間の累積値を記憶させることができる。このようにすることで、投影装置は、部品の使用状態が異なる複数の動作モードそれぞれで動作した経過時間の累積値に基づいて、投影装置の内部状態を推定することができる。そのため、投影装置は、投影装置の使用期間のみに基づいて投影装置の状態を推定する場合と比較して、投影装置の内部状態の推定精度を向上させることができる。
【００１１】
［投影装置１の機能構成］
図１は、投影装置１の機能構成を示す図である。投影装置１は、ＡＣ／ＤＣ電源１０と、ＤＣ／ＤＣ電源１１と、ＤＣ／ＤＣ電源１２と、バッテリー１３と、ＲＴＣ１４と、近距離無線部１５と、記憶部１６と、ＣＰＵ１７と、ＤＣ／ＤＣ電源２１と、通信部２２と、ＤＣ／ＤＣ電源３１と、ＤＣ／ＤＣ電源３２と、映像部３３と、光源３４と、画像投影部３５とを備える。
【００１２】
ＡＣ／ＤＣ電源１０は、商用電源４から入力された交流電圧を直流電圧に変換する電源である。商用電源４は、国や地域により異なるが、概ね電圧は１００Ｖ〜２４０Ｖ、周波数は５０Ｈｚ〜６０Ｈｚである。ＡＣ／ＤＣ電源１０の出力電圧は、例えば、５Ｖ、１２Ｖ、２４Ｖ、４８Ｖである。
【００１３】
ＤＣ／ＤＣ電源１１は、ＡＣ／ＤＣ電源１０から入力された直流電圧をＲＴＣ１４が動作する直流電圧に変換する。ＤＣ／ＤＣ電源１２は、ＡＣ／ＤＣ電源１０から入力された直流電圧を近距離無線部１５とＣＰＵ１７とが動作する直流電圧に変換する。ＤＣ／ＤＣ電源２１は、入力された直流電圧を通信部２２が動作する直流電圧に変換する。ＤＣ／ＤＣ電源３１は、映像部３３が動作する直流電圧に変換する。ＤＣ／ＤＣ電源３２は、光源３４が動作する直流電圧に変換する。例えば、これらのＤＣ／ＤＣ電源は、入力された直流電圧を、例えば１．８Ｖ、２．５Ｖ、３．３Ｖ、又は５Ｖの直流電圧に変換する。ＤＣ／ＤＣ電源は、スイッチングレギュレータであってもシリーズレギュレータであってもよい。
【００１４】
通信部２２は、ネットワークに接続可能な通信モジュールである。ネットワークは、例えば、有線ＬＡＮ（Ｌｏｃａｌ  Ａｒｅａ  Ｎｅｔｗｏｒｋ）、又は無線ＬＡＮである。有線ＬＡＮは、例えばＥｔｈｅｒｎｅｔである。ネットワークが有線ＬＡＮである場合、通信部２２は、例えば投影装置１が備えるＲＪ−４５コネクタに接続されたＥｔｈｅｒｎｅｔケーブルを介して、外部機器と通信する。無線ＬＡＮは、Ｗｉ−Ｆｉ（登録商標）である。通信部２２は、ネットワークに接続され、例えばパーソナルコンピュータ、サーバ等の外部機器と通信する。
【００１５】
映像部３３は、外部機器から出力される画像信号を不図示の画像入力用コネクタを介して入力された画像信号から画像を取得し、取得した画像に画像処理を行う。映像部３３は、画像処理した投影用画像を、画像投影部３５に送信する。
【００１６】
光源３４は、光を発するデバイスである。光源３４は、例えば水銀ランプ、又は固体光源である。固体光源は、例えばＬＥＤ（light emitting diode）又はＬＤ（Laser Diode）である。光源３４は、光源３４を使用できる期限として寿命が設定されている。水銀ランプの寿命は３０００時間から５０００時間程度、固体光源の寿命は１００００時間から２００００時間程度である。
【００１７】
画像投影部３５は、光学部と、液晶パネル又はデジタルミラーデバイス等の光学変調素子と、投射レンズとを備える。画像投影部３５は、映像部３３から画像を受信すると、受信した投影用画像を投射レンズにより拡大して投影する。
【００１８】
バッテリー１３は、商用電源４からの電力の供給が無い場合、ＲＴＣ１４に電力を供給する電力供給手段である。バッテリー１３は、例えば、大容量のコンデンサであるが、ボタン電池等の電池や充電可能な二次電池等であってもよい。以下の説明においては、特に記載のない限り、バッテリー１３が大容量コンデンサであるものとして説明する。バッテリー１３は、商用電源４からの電力の供給がある場合、ＤＣ／ＤＣ電源１１から直流電圧の入力を受けることにより充電される。
【００１９】
ＲＴＣ（リアルタイムクロック）１４は、時刻を示す時刻情報を発生する（時刻を刻む）時刻発生手段である。具体的には、ＲＴＣ１４は、年、月、日、及び時刻を内部カウンタでカウントし、ＣＰＵ１７に現在の時刻を示す時刻情報を出力する。ＲＴＣ１４は、商用電源４又はバッテリー１３から給電される。ＲＴＣ１４は、商用電源４が遮断されてＡＣ／ＤＣ電源１０から給電されない場合、バッテリー１３から給電されることにより時刻をカウントする。そのため、ＲＴＣ１４は、商用電源４からの給電が再開された場合、商用電源４からの給電がない期間にカウントした時刻を示す時刻情報をＣＰＵ１７に出力することができる。
【００２０】
近距離無線部１５は、極めて低電力で通信を行うことが可能な無線通信手段である。例えば、近距離無線部１５は、Ｂｌｕｅｔｏｏｔｈ（登録商標）用通信モジュールである。近距離無線部１５の通信距離は、数ｍから数十ｍ程度である。近距離無線部１５は、投影装置１から通信距離内にある外部機器と通信することができる。
【００２１】
記憶部１６は、ＲＯＭ（Read Only Memory）及びＲＡＭ（Random Access Memory）等を含む記憶媒体である。記憶部１６は、ＣＰＵ１７が実行するプログラムを記憶する。記憶部１６は、経過時間の累積値を複数の動作モードそれぞれに関連付けて記憶する。また、記憶部１６は、曜日に関連付けて累積値を記憶してもよく、ＲＴＣ１４が発生した時刻情報を複数の動作モードそれぞれに関連付けて記憶してもよい。
【００２２】
ＣＰＵ１７は、例えばCentral Processing Unitである。ＣＰＵ１７は、マイクロコンピュータ等で構成されてもよいし、ＡＳＩＣ（Application Specific Integrated Circuit）や、ＦＰＧＡ（Field Programmable Gate Array）等のハードウェアによる論理回路で構成されてもよい。
【００２３】
ＣＰＵ１７は、記憶部１６に記憶されたプログラムを実行することにより、投影装置１の動作モードを切り替える。具体的には、ＣＰＵ１７は、投影装置１の機能構成部のうち、動作させる機能構成部を切り替えることにより、動作モードを切り替える。
【００２４】
［投影装置１の動作モード］
本実施形態における投影装置１の動作モードは、極力電力を抑えて待機するスタンバイモード、ネットワーク操作が可能な状態で待機するネットワークスタンバイモード、及び通常動作モードである。投影装置１は、通常動作モードとして、光源３４を点灯させた状態で動作する点灯モードと、光源３４を消灯させた状態で動作する非点灯モードとを有する。なお、通常動作モード及びネットワークスタンバイモードは、外部機器と通信可能な通信モードに含まれるモードであり、スタンバイモードは、外部機器と通信不能な非通信モードである。また、商用電源４が遮断されＡＣ／ＤＣ電源１０への給電が行われない場合、投影装置１の動作モードは電源ＯＦＦモード（電源ＯＦＦ状態）とする。
【００２５】
ＣＰＵ１７は、投影装置１の機能構成部のうち、破線Ａで囲った機能構成部を動作させることにより、投影装置１をスタンバイモードとして動作させる。また、ＣＰＵ１７は、投影装置１の機能構成部のうち、破線Ａで囲った機能構成部に加え、一点鎖線Ｂで囲った機能構成部を動作させることにより投影装置１をネットワークスタンバイモードとして動作させる。なお、スタンバイモード及びネットワークスタンバイモードは、投影装置１の消費電力が通常動作モードより消費電力が低く画像を投影しない場合の動作モードである。
【００２６】
ＣＰＵ１７は、投影装置１の機能構成部のうち、ネットワークスタンバイモードで動作する機能構成部に加え、二点鎖線Ｃで囲った機能構成部を動作させることにより投影装置１が使用されるときに動作する通常動作モードとして投影装置１を動作させる。ＣＰＵ１７は、通常動作モードにおいて、光源３４を点灯させることで投影装置１を点灯モードとして動作させ、光源３４を消灯させることで非点灯モードとして動作させる。
【００２７】
ＣＰＵ１７は、記憶部１６に記憶されたプログラムを実行することにより、特定部１７１及び制御部１７２として機能する。特定部１７１は、ＲＴＣ１４が発生した時刻情報を取得する。例えば、特定部１７１は、定期的に（すなわち所定の時間間隔で）ＲＴＣ１４が発生した時刻情報を取得する。所定の時間間隔は、例えば、１秒、１０秒、又は１分である。特定部１７１は、時刻情報を取得する度に、取得した時刻情報を記憶部１６に記憶させる。
【００２８】
特定部１７１は、記憶部１６に記憶させた時刻情報に基づいて、投影装置１が１つの動作モードで動作した経過時間を特定する。例えば、特定部１７１は、１つの動作モードでの動作が開始した時の時刻情報が示す時刻から、１つの動作モードでの動作が終了した時（すなわち、動作モードが切り替わった時）の時刻情報が示す時刻までの経過時間を特定する。具体的には、特定部１７１は、記憶部１６に記憶された複数の時刻情報のうち、同一の動作モードが連続する区間における最初の時刻情報が示す時刻と、連続する区間における最後の時刻情報が示す時刻との時刻差を経過時間として特定する。
【００２９】
なお、特定部１７１は、投影装置１が同一の動作モードで動作している間、ＣＰＵ１７がＲＴＣ１４から時刻を読み出すタイミングにおいて、投影装置１が動作している動作モードの経過時間の累積値に、前回時刻を読み出したタイミングからの経過時間を加算してもよい。
【００３０】
例えば、特定部１７１は、バッテリー１３の状態が正常であることを条件として経過時間を特定する。具体的には、まず、特定部１７１は、バッテリー１３の状態が正常であるか否かを判定する。例えば、特定部１７１は、記憶部１６に記憶させた時刻情報が示す時刻と、時刻情報を記憶部１６に記憶させた後にＲＴＣ１４が発生した時刻情報が示す時刻との時刻差に基づいて、バッテリー１３の状態が正常であるか否かを判定する。具体的には、特定部１７１は、時刻差が所定の時間以内であればバッテリー１３の状態が正常であると判定し、時刻差が所定の時間より大きければバッテリー１３の状態が異常であると判定する。所定の時間は、ＲＴＣ１４が発生した時刻情報を特定部１７１が取得する取得時間である。そして、特定部１７１は、特定した経過時間を累積した経過時間の累積値を特定し、特定した累積値を制御部１７２に通知する。
【００３１】
制御部１７２は、特定部１７１が特定した経過時間の累積値を複数の動作モードそれぞれに関連付けて記憶部１６に記憶させる。具体的には、制御部１７２は、特定部１７１が特定した経過時間の累積値を、記憶部１６に記憶された当該累積値に対応する動作モードの累積値に加算した新たな累積値を、当該動作モードに関連付けて記憶させる。
【００３２】
例えば、制御部１７２は、それぞれ消費電力が異なる複数の動作モードそれぞれに関連付けて累積値を記憶部１６に記憶させる。例えば、制御部１７２は、スタンバイモード、ネットワークスタンバイモード、及び通常動作モードのそれぞれに関連付けて累積値を記憶部１６に記憶させる。また、制御部１７２は、光源３４が点灯している点灯モード及び光源３４が点灯していない非点灯モードのそれぞれに関連付けて、経過時間の累積値を記憶部１６に記憶させてもよい。このようにすることで、投影装置１は、光源３４が点灯していた時間を把握できるので、光源３４の寿命を推定する精度を向上させることができる。
【００３３】
制御部１７２は、通常動作モードの経過時間の累積値とネットワークスタンバイモードの経過時間の累積値を合算した値を、通信モードの経過時間の累積値として記憶部１６に記憶させてもよい。このようにすることで、投影装置１は、近距離無線部１５及び通信部２２が動作した時間を把握できるので、内部状態の推定精度を向上することができる。
【００３４】
例えば、制御部１７２は、複数の動作モードそれぞれの経過時間の累積値を記憶部１６に記憶させる場合、曜日に関連付けて経過時間の累積値を記憶部１６に記憶させる。具体的には、制御部１７２は、他の曜日と比べて投影装置１が使用される可能性が高い曜日である平日と、他の曜日と比べて投影装置１が使用される可能性が低い曜日である休業日とのそれぞれに関連付けて、複数の動作モードの累積値を記憶部１６に記憶させる。
【００３５】
制御部１７２は、曜日に関連付けて予め定められた基準累積値と特定部１７１が特定した累積値との間に閾値以上の差がある場合、差があることを外部装置に通知する。例えば、制御部１７２は、平日において特定部１７１が特定した投影装置１が使用されないときに動作する動作モードの累積値が、平日に関連付けられた基準累積値より閾値以上大きい場合、投影装置１の消費電力が多くなっていることを通知する。休業日において特定部１７１が特定した投影装置１が使用されるときに動作する動作モードの累積値が、休業日に関連付けられた基準累積値より閾値以上大きい場合、投影装置１の消費電力が多くなっていることを通知する。
【００３６】
例えば、制御部１７２は、投影装置１の消費電力が多くなっていることを示すメッセージを出力する、又は投影装置１の消費電力が多くなっていることを示す画像を画像投影部３５に投影させる。このように、制御部１７２は、投影装置１の消費電力が多くなっていることを通知することで、投影装置１を使用するユーザに投影装置１をより消費電力の低い動作モードで動作させるように促すことができる。
【００３７】
また、制御部１７２は、動作モードの累積値が基準累積値より低く、閾値以上の差がある場合、投影装置１の累積の消費電力が低いことを示す情報を通知する。このように、制御部１７２は、ユーザに累積の消費電力が低いことを知らせることにより、継続的な省エネを促すことができる。
【００３８】
［動作モードの経過時間の累積値を記憶させる処理の流れ］
以下、図２を参照しながら、ＣＰＵ１７が動作モードの経過時間の累積値を記憶部１６に記憶させる処理の流れを説明する。図２は、投影装置１が実行する処理のフローチャートである。
【００３９】
まず、ステップＳ１において、特定部１７１は、直前に記憶部１６に記憶させた時刻情報である前回の時刻情報を取得する。また、特定部１７１は、記憶部１６に記憶させた前回の時刻情報に関連付けられたタイムゾーン情報を取得してもよい。
【００４０】
続いて、ステップＳ２において、特定部１７１は、前回の時刻情報を記憶部１６に記憶させた後にＲＴＣ１４が発生した現在の時刻を示す今回の時刻情報を取得し、記憶部１６に記憶させる。また、特定部１７１は、外部機器と通信可能である場合、外部機器からタイムゾーン情報を取得し、取得したタイムゾーン情報を、現在の時刻を示す今回の時刻情報に関連付けて記憶部１６に記憶させてもよい。なお、特定部１７１は、ステップＳ１の処理とステップＳ２の処理とを、順番を前後して実行してもよく、並列に実行してもよい。
【００４１】
次に、ステップＳ３において、特定部１７１は、前回の時刻情報が示す時刻と、今回の時刻情報が示す時刻との時刻差を特定する。そして、ステップＳ４において、特定部１７１は、時刻差に基づいて、バッテリー１３の状態が正常か否かを判定する。特定部１７１は、バッテリー１３が正常に動作していないと判定すると（ステップＳ４においてＮｏ）、ステップＳ５のバッテリー異常判定処理に移行し、バッテリー１３が正常に動作しているか否かを判定する。
【００４２】
［バッテリー異常判定処理］
図３は、バッテリー異常判定処理のフローチャートである。まず、ステップＳ２１において、特定部１７１は、バッテリー１３が正常に動作しているか否かを判定する。具体的には、特定部１７１は、バッテリー１３の電圧を監視する電圧監視部によりバッテリー１３の電圧が所定の電圧より低下していると判定されると、バッテリー１３が異常であると判定する。また、特定部１７１は、電圧監視部によりバッテリー１３の電圧が所定の電圧以上であると判定されると、バッテリー１３が正常に動作していると判定する。所定の電圧は、例えば２．５Ｖである。
【００４３】
特定部１７１は、バッテリー１３の電圧低下がなく、バッテリー１３が正常に動作していると判定すると（ステップＳ２１でＹｅｓ）、投影装置１の動作モードを商用電源４が遮断され、ＡＣ／ＤＣ電源１０への給電が行われない電源ＯＦＦ状態であると特定する。そして、ステップＳ２２において、特定部１７１は、ステップＳ３において算出した時刻差を、投影装置１が電源ＯＦＦとなる直前から投影装置１が電源ＯＮとなった直後までの時間である電源ＯＦＦ状態における経過時間として特定する。
【００４４】
特定部１７１は、バッテリー１３が正常に動作していないと判定すると（ステップＳ２１でＮｏ）、バッテリー１３が充電されるまでに要する充電時間が経過するまで待機する。充電時間は、例えば数秒から数分である。特定部１７１は、充電時間が経過すると、ステップＳ２４において、バッテリー１３が正常に動作しているか否かを判定する。
【００４５】
特定部１７１は、バッテリー１３が正常に動作していないと判定すると（ステップＳ２４でＮｏ）、ステップＳ２６に移行してバッテリー１３の故障としてエラー判定する。ステップＳ２５において、特定部１７１は、記憶部１６にバッテリーエラーが発生したことを示す情報を記憶させる。特定部１７１は、投影装置１の動作モードがネットワークスタンバイモード又は通常動作モードである場合、記憶部１６に記憶させたエラー情報を出力する。例えば、特定部１７１は、バッテリーエラーが発生したことを示す音声メッセージを出力する。また、特定部１７１は、バッテリーエラーが発生したことを示す画像を画像投影部３５に投影させてもよい。このようにすることで、特定部１７１は、投影装置１を使用するユーザに、バッテリー１３の交換を促すことができる。
【００４６】
なお、バッテリー１３がボタン電池等の電池である場合、バッテリー１３が充電されることはないので、特定部１７１は、ステップＳ２１でバッテリー１３が正常に動作してないと判定すると、ステップＳ２３からステップＳ２４を省略してステップＳ２６に移行する。バッテリー１３が電池である場合におけるステップＳ２６の処理は、バッテリー１３が大容量コンデンサである場合と同様なので説明を省略する。
【００４７】
特定部１７１は、バッテリー１３が正常に動作していると判定すると（ステップＳ２４でＹｅｓ）、ステップＳ２５に移行する。ステップＳ２５において、特定部１７１は、バッテリーフラグを上げ、ステップＳ２７に移行する。ステップＳ２７において、特定部１７１は、ＲＴＣ１４の時刻を設定する時刻設定処理を実行する。時刻設定処理の詳細な説明は後述する。以上で、特定部１７１は、バッテリー異常判定処理を終了し、図２の動作モードの経過時間の累積値を記憶させる処理を終了する。
【００４８】
図２に戻って、動作モードの経過時間の累積値を記憶させる処理の説明を続ける。
特定部１７１は、バッテリー１３が正常に動作していると判定すると（ステップＳ４でＹｅｓ）、ステップＳ６においてバッテリーフラグの有無を判定する。特定部１７１は、バッテリーフラグが上がっている場合、バッテリー１３が正常に動作していないと判定された後、ステップＳ２７において実行される時刻設定処理によりＲＴＣ１４の時刻が設定されたとみなすことができる。そこで、特定部１７１は、バッテリーフラグが上がっていると判定すると（ステップＳ６でＹｅｓ）、投影装置１が電源ＯＦＦ状態となった後に、ＲＴＣ１４の時刻が設定されたと判定し、ステップＳ７に移行する。
【００４９】
ステップＳ７において、特定部１７１は、バッテリー１３が異常であった時間の累積値を特定する。また、特定部１７１は、バッテリーフラグを下げる。特定部１７１は、ステップＳ３において算出した時刻差（投影装置１が電源ＯＦＦとなる直前からＲＴＣ１４の時刻が設定されるまでの時間）をバッテリー１３が異常であった時間として特定する。そして、特定部１７１は、特定した時間を累積した累積値を、バッテリー１３が異常であった時間の累積値として特定する。制御部１７２は、特定部１７１が特定したバッテリー１３が異常であった時間の累積値を記憶部１６に記憶させる。
【００５０】
制御部１７２は、電源ＯＦＦ状態の経過時間の累積値を記憶部１６に記憶させる場合、投影装置１が電源ＯＦＦ状態となる直前の時刻を示す時刻情報と、ＲＴＣ１４の時刻が設定された時刻を示す設定時刻情報とを記憶部１６に記憶させてもよい。このようにすることで、投影装置１を利用するユーザは、バッテリー異常が発生する要因となった電源ＯＦＦの時刻を確認することができる。
【００５１】
また、制御部１７２は、バッテリーフラグが上がった回数を、バッテリーフラグカウント値として記憶部１６に記憶させてもよい。制御部１７２は、所定の期間におけるバッテリーフラグカウント値に基づいて、バッテリー異常の発生頻度を特定する。バッテリー異常の発生頻度が高い場合、バッテリー１３の使用期限が近い又はバッテリー１３が故障している可能性が高いと考えられる。
【００５２】
そこで、制御部１７２は、バッテリー異常の発生頻度が所定の値より高い場合、バッテリー異常の発生頻度が高いことを示す情報を出力する。例えば、制御部１７２は、投影装置１の動作モードがネットワークスタンバイモード又は通常動作モードである場合、バッテリー異常の発生頻度が高いことを示す音声メッセージを出力する。また、特定部１７１は、バッテリー異常の発生頻度が高いことを示す画像を画像投影部３５に投影させてもよい。このようにすることで、制御部１７２は、投影装置１を使用するユーザに、バッテリー１３の交換を促すことができる。
【００５３】
なお、バッテリー１３は、長時間電力の供給がない場合、充電できない等の不具合が発生することがある。そこで、制御部１７２は、電源ＯＦＦ状態の経過時間が所定時間より長い場合、投影装置１が長時間電源ＯＦＦ状態であったことを示す情報を通知する。また、制御部１７２は、投影装置１を所定時間以上電源ＯＦＦ状態とすることは望ましくないことを示す情報を通知してもよい。このようにすることで、制御部１７２は、投影装置１を使用するユーザに、投影装置１の管理状態の改善を促すことができる。また、制御部１７２は、バッテリー１３の異常を判定するバッテリー異常判定処理を実行することにより、ＲＴＣ１４による安定した時刻管理を行うことができる。
【００５４】
特定部１７１は、バッテリーフラグが上がっていないと判定すると（ステップＳ６でＮｏ）、ステップＳ８に移行して動作モード判定処理を実行する。図４は、動作モード判定処理のフローチャートである。
【００５５】
［動作モード判定処理］
まず、ステップＳ３１において、特定部１７１は、投影装置１の動作モードがスタンバイモードか否かを判定する。特定部１７１は、投影装置１の動作モードがスタンバイモードであると判定すると（ステップＳ３１でＹｅｓ）、ステップＳ３２に移行する。ステップＳ３２において、特定部１７１は、ステップＳ３において算出した時刻差、即ち、特定部１７１がＲＴＣ１４から時刻を取得する取得時間をスタンバイモードの経過時間として特定する。特定部１７１は、特定したスタンバイモードの経過時間を累積した累積値を特定する。制御部１７２は、特定部１７１が特定したスタンバイモードの累積値を記憶部１６に記憶させる。
【００５６】
特定部１７１は、投影装置１の動作モードがスタンバイモードでないと判定すると（ステップＳ３１でＮｏ）、ステップＳ３３に移行する。ステップＳ３３において、特定部１７１は、投影装置１の動作モードがネットワークスタンバイモードか否かを判定する。特定部１７１は、投影装置１の動作モードがネットワークスタンバイモードであると判定すると（ステップＳ３３でＹｅｓ）、ステップＳ３４に移行する。ステップＳ３４において、特定部１７１は、ステップＳ３において算出した時刻差、即ち、特定部１７１がＲＴＣ１４から時刻を取得する取得時間をネットワークスタンバイモードの経過時間として特定する。特定部１７１は、特定したネットワークスタンバイモードの経過時間を累積した累積値を特定する。制御部１７２は、特定部１７１が特定したネットワークスタンバイモードの累積値を記憶部１６に記憶させる。
【００５７】
特定部１７１は、投影装置１の動作モードがネットワークスタンバイモードでないと判定すると（ステップＳ３３でＮｏ）、投影装置１の動作モードが通常動作モードであると判定し、ステップＳ３５に移行する。ステップＳ３５において、特定部１７１は、光源３４が点灯しているか否かを判定する。特定部１７１は、光源３４が点灯していると判定すると（ステップＳ３５でＹｅｓ）ステップＳ３６に移行し、光源３４が点灯していないと判定すると（ステップＳ３５でＮｏ）ステップＳ３７に移行する。
【００５８】
ステップＳ３６において、特定部１７１は、ステップＳ３において算出した時刻差、即ち、特定部１７１がＲＴＣ１４から時刻を取得する取得時間を、点灯モードの経過時間として特定する。特定部１７１は、特定した点灯モードの経過時間を累積した累積値を特定する。制御部１７２は、点灯モードの経過時間の累積値を記憶部１６に記憶させる。
【００５９】
ステップＳ３７において、特定部１７１は、ステップＳ３において算出した時刻差、即ち、特定部１７１がＲＴＣ１４から時刻を取得する取得時間を、非点灯モードの経過時間として特定する。特定部１７１は、特定した非点灯モードの経過時間を累積した累積値を特定する。制御部１７２は、非点灯モードの経過時間の累積値を記憶部１６に記憶させる。
【００６０】
なお、特定部１７１は、投影装置１の動作モードが変化した場合に、動作モードが変化した時刻を記憶部１６に記憶させてもよい。具体的には、まず、特定部１７１は、動作モード判定処理を実行して投影装置１の動作モードを判定すると、判定した動作モードを記憶部１６に記憶させる。次に、特定部１７１は、記憶部１６に記憶させた動作モードと、ステップＳ８の動作モード判定処理で判定した動作モードとが同一か否かを判定する。そして、特定部１７１は、動作モードが同一でない場合に、動作モードが変化したと判定し、動作モードが変化する直前の時刻を記憶部１６に記憶させる。
【００６１】
また、特定部１７１は、動作モード判定処理を実行した後、記憶部１６に記憶された点灯モードの経過時間の累積値に基づいて、光源３４の寿命を示す情報、又は光源３４の交換を推奨することを示す情報を通知してもよい。例えば、特定部１７１は、点灯モードの経過時間の累積値が所定の時間以上か否かを判定し、点灯モードの経過時間の累積値が所定の時間以上であれば、光源３４の寿命を示す情報、又は光源３４の交換を推奨することを示す情報を通知する。所定の時間は、例えば、光源３４の寿命である。このようにすることで、特定部１７１は、光源３４が故障して画像を投影できなくなる前にメンテナンスを行うことをユーザに促すことができる。
【００６２】
このように、投影装置１は、複数の動作モードそれぞれの経過時間の累積値と動作開始時刻と、バッテリー１３に異常が発生した回数とを記憶部１６に記憶させる。そして、投影装置１は、点灯モードでの経過時間の累積値、バッテリー異常での経過時間の累積値、及びバッテリー異常の回数に基づいて、バッテリー１３の異常であることを示す情報、部品の交換を推奨する情報、又は投影装置１の管理方法に関する情報をユーザに通知する。このようにすることで、投影装置１は、投影装置１の状態を向上させる又は投影装置１のメンテナンス性を向上させることができる。
【００６３】
以上で、特定部１７１は、動作モード判定処理を終了し、図２の動作モードの経過時間の累積値を記憶させる処理を終了する。
【００６４】
［時刻設定処理］
以下、図３のフローチャートのステップＳ２７におけるＲＴＣ１４の時刻を設定する時刻設定処理について説明する。時刻設定処理は、制御部１７２により実行されるものとして説明するが、特定部１７１により実行されてもよい。
【００６５】
まず、制御部１７２は、ＲＴＣ１４の時刻を設定する場合、外部機器から現在時刻を示す現在時刻情報を取得する。例えば、制御部１７２は、複数の外部機器のうち、動作モードに基づいて選択した外部機器から現在時刻情報を取得する。具体的には、制御部１７２は、投影装置１がスタンバイモードで動作している場合、近距離無線部１５を介して接続可能な外部機器を選択する。また、制御部１７２は、投影装置１がネットワークスタンバイモード又は通常動作モードで動作している場合、近距離無線部１５又は通信部２２を介して接続可能な外部機器を選択する。そして、制御部１７２は、取得した現在時刻情報が示す現在時刻をＲＴＣ１４に設定する。
【００６６】
続いて、制御部１７２がＲＴＣ１４の時刻を設定する時刻設定処理の流れを説明する。図５は、時刻設定処理のフローチャートである。
【００６７】
まず、ステップＳ４１において、制御部１７２は、投影装置１の動作モードがスタンバイモードか否かを判定する。制御部１７２は、投影装置１の動作モードがスタンバイモードであると判定すると（ステップＳ４１でＹｅｓ）、ステップＳ４２に移行する。ステップＳ４２において、制御部１７２は、近距離無線部１５を介して通信可能な外部機器があるか否かを判定する。例えば、制御部１７２は、近距離無線部１５を介して通信可能な、例えばＢｌｕｅｔｏｏｔｈにより通信可能な携帯電話、スマートフォン、タブレットＰＣ、又はノートＰＣなどの携帯端末と通信が可能か否かを判定する。
【００６８】
制御部１７２は、近距離無線部１５を介して通信可能な外部機器がないと判定すると（ステップＳ４２でＮｏ）、ステップＳ４１に移行する。制御部１７２は、近距離無線部１５を介して通信可能な外部機器があると判定し（ステップＳ４２でＹｅｓ）、携帯端末と通信可能な状態になると、ステップＳ４３に移行する。そして、ステップＳ４３において、制御部１７２は、携帯端末から現在時刻情報を取得する。制御部１７２は、取得した現在時刻情報が示す現在時刻をＲＴＣ１４に設定し、時刻設定処理を終了する。なお、制御部１７２は、現在時刻情報とともに、携帯端末に設定されたタイムゾーンを示すタイムゾーン情報を取得してもよい。
【００６９】
制御部１７２は、投影装置１の動作モードがスタンバイモードではないと判定すると（ステップＳ４１でＮｏ）、ステップＳ４４に移行する。ステップＳ４４において、制御部１７２は、投影装置１の動作モードがネットワークスタンバイモードか否かを判定する。制御部１７２は、ネットワークスタンバイモードであると判定すると（ステップＳ４４でＹｅｓ）、ステップＳ４５に移行する。そして、ステップＳ４５において、近距離無線部１５又は通信部２２を介して通信可能な外部機器があるか否かを判定する。
【００７０】
制御部１７２は、通信可能な外部機器がないと判定すると（ステップＳ４５でＮｏ）、ステップＳ４４に移行する。制御部１７２は、通信可能な外部機器があると判定すると（ステップＳ４５でＹｅｓ）、ステップＳ４６に移行する。ステップＳ４６において、制御部１７２は、投影装置１と接続された外部機器から現在時刻情報を取得する。そして、制御部１７２は、取得した現在時刻情報が示す現在時刻をＲＴＣ１４に設定し、時刻設定処理を終了する。
【００７１】
なお、制御部１７２は、近距離無線部１５を介して通信可能な外部機器と、通信部２２を介して通信可能な外部機器とが存在する場合、現在時刻情報を取得する場合に消費する消費電力がより少ない外部機器を選択してもよい。例えば、近距離無線部１５の消費電力が通信部２２の消費電力より少ない場合、制御部１７２は、近距離無線部１５を介して通信可能な外部機器から現在時刻情報を取得する。このようにすることで、制御部１７２は、投影装置１が消費する消費電力を低減できる。
【００７２】
制御部１７２は、投影装置１の動作モードがネットワークスタンバイモードではないと判定すると（ステップＳ４４でＮｏ）、投影装置１の動作モードが通常動作モードであると特定し、ステップＳ４７に移行する。ステップＳ４７において、制御部１７２は、近距離無線部１５又は通信部２２を介して通信可能な外部機器があるか否かを判定する。制御部１７２は、通信可能な外部機器があると判定すると（ステップＳ４７でＹｅｓ）、ステップＳ４８に移行する。ステップＳ４８の処理は、ステップＳ４６の処理と同様なので説明を省略する。制御部１７２は、通信可能な外部機器がないと判定すると（ステップＳ４７でＮｏ）、ステップＳ４９に移行する。
【００７３】
ステップＳ４９において、制御部１７２は、ＲＴＣ１４の時刻をマニュアル操作で設定するか否かをユーザに確認するための情報を通知する。例えば、制御部１７２は、マニュアル操作で設定するか否かを確認するための画像を画像投影部３５に投影させる。制御部１７２は、ユーザの入力した操作に基づいて、マニュアル操作で設定するか否かを判定する。制御部１７２は、マニュアル操作で設定すると判定すると（ステップＳ４９でＹｅｓ）、ステップＳ５０に移行する。ステップＳ５０において、まず、制御部１７２は、ユーザの入力した操作に基づく現在時刻を示す現在時刻情報を取得する。次に、制御部１７２は、取得した現在時刻情報が示す現在時刻をＲＴＣ１４に設定し、時刻設定処理を終了する。制御部１７２は、マニュアル操作で設定しないと判定すると（ステップＳ４９でＮｏ）、ステップＳ４１に移行し、ＲＴＣ１４の時刻が設定されるまで上記の処理を繰り返す。
【００７４】
このように、投影装置１は、ＲＴＣ１４の時刻を設定する場合、複数の動作モードのそれぞれに対応する通信手段を選択し、選択した通信手段を介して通信可能な接続機器から現在時刻を示す現在時刻情報を取得する。そして、投影装置１は、現在時刻情報が示す現在時刻をＲＴＣ１４に設定する。そのため、投影装置１は、投影装置１の時刻管理を容易にすることができ、メンテナンス性を向上できる。
【００７５】
［第１の実施形態に係る投影装置１の効果］
以上説明したように、第１の実施形態に係る投影装置１は、複数の動作モードそれぞれの経過時間の累積値を記憶する。そして、投影装置１は、複数の動作モードそれぞれの経過時間の累積値に基づいて、投影装置１の内部状態を推定するので、投影装置１の内部状態の推定精度を向上することができる。また、投影装置１は、内部状態に応じた情報を通知することで、投影装置１を使用するユーザに投影装置１の管理状態の向上や、投影装置１のメンテナンスを促すことができる。
【００７６】
＜第２の実施形態＞
第１の実施形態の投影装置１は、ユーザの操作に基づいて動作モードが切り替わることが想定されていた。これに対して、第２の実施形態の投影装置１は、消費電力を低減できるように予め設定された動作モードスケジュールに基づいて動作するという点で、第１の実施形態の投影装置１と異なる。
【００７７】
投影装置１の消費電力は、点灯モードが最も多く、非点灯モード、ネットワークスタンバイモード、スタンバイモードの順で少なくなる。例えば、点灯モードの消費電力は数百ワット、非点灯モードの消費電力は数〜数十ワット、ネットワークスタンバイモードの消費電力は数ワット、スタンバイモードの消費電力は１Ｗ未満である。このように、複数の動作モードそれぞれの消費電力は大きく異なる。
【００７８】
省電力化のためには、投影装置１が使用されない状態ではより消費電力の低い動作モードで動作することが望ましい。例えば、非使用状態での省電力化のためには、スタンバイモード、ネットワークスタンバイモード、非点灯モードの順に、より低消費電力の動作モードで投影装置１を動作させることが望ましい。
【００７９】
そこで、第２の実施形態に係る投影装置１は、動作モードスケジュールとして、投影装置１の使用予定を示す予定情報を用いて動作する。このようにすることで、投影装置１は、より消費電力の少ない動作モードで動作するので、投影装置１の消費電力を低減できる。以下、第２の実施形態に係る投影装置１の機能構成を、第１の実施形態に係る投影装置１と異なる点について説明し、同様の点については説明を省略する。
【００８０】
［第２の実施形態に係る投影装置１の機能構成］
制御部１７２は、投影装置１の使用予定を示す予定情報を作成する。予定情報は、投影装置１の動作モードと、時刻を示す時刻情報とが関連づけられた情報である。制御部１７２は、投影装置１を使用するユーザが入力した情報に基づいて予定情報を作成してもよく、投影装置１と通信可能な外部機器から受信した情報に基づいて予定情報を作成してもよい。以下の説明では、制御部１７２が、動作モードの累積値を参照することにより予定情報を作成する場合について説明する。例えば、制御部１７２は、記憶部１６に記憶された複数の動作モードそれぞれの経過時間の累積値に基づいて曜日に関連付けられた予定情報を作成する。具体的には、制御部１７２は、複数の曜日それぞれに関連付けて、投影装置１が使用される可能性が低い時刻において、他の動作モードより消費電力の低い動作モードで動作する予定情報を作成する。また、制御部１７２は、投影装置１が使用される可能性が低い時刻において、非通信モードで動作する予定情報を作成してもよい。
【００８１】
［予定情報の作成方法］
図６は、投影装置１が予定情報を使用しない場合における、曜日に関連付けられた複数の動作モードの経過時間の累積値を模式的に示す図である。図６は、例えば、ユーザの操作に基づいて投影装置１の動作モードが切り替えられた場合の各動作モードの経過時間の累積値を示しているものとする。図６の横軸の項目は動作モードを示し、縦軸は複数の動作モードそれぞれの経過時間の累積値を示す。
【００８２】
図６（ａ）は、投影装置１が使用される可能性が高い月曜日から金曜日（以下、平日という）における複数の動作モードそれぞれに対する経過時間の累積値を模式的に示す図である。図６（ｂ）は、投影装置１が使用される可能性が低い土曜日及び日曜日（以下、休業日という）における複数の動作モードそれぞれに対する経過時間の累積値を模式的に示す図である。なお、経過時間の累積値は、説明を容易にするため、１日当たりの平均累積値を表すものとする。
【００８３】
図６（ａ）において、点灯モードの累積値と非点灯モードの累積値とは、同程度である。また、ネットワークスタンバイモードの累積値は、点灯モードの累積値及び非点灯モードの累積値より多い。これは、平日において、投影装置１が非使用状態としてネットワークスタンバイモードで待機している時間が半分程度あり、実際に使用されている使用状態の時間に対しても、点灯モードと非点灯モードとが同程度あることを示している。
【００８４】
図６（ｂ）において、非点灯モードの累積値のみ記憶され、非点灯モードではない他の動作モードの累積値はゼロである。これは、投影装置１が平日において非点灯モードで動作し、休業日で投影装置１が使用されていないにも関わらず、非点灯モードで動作する状態が継続していると推定できる。
【００８５】
以下、制御部１７２が予定情報を作成する方法について具体的に説明する。図６（ａ）におけるネットワークスタンバイモードで動作している時刻は、記憶部１６に記憶されている。例えば、ネットワークスタンバイモードで動作している時刻が終業後から翌日の始業開始前までの時間帯である夜間を示す時刻である場合、ユーザはネットワークに接続して投影装置１を操作することはないと推定される。この場合、制御部１７２は、平日の夜間において投影装置１の動作モードとしてスタンバイモードを選択し、平日の始業開始前の時刻において投影装置１の動作モードとしてネットワークスタンバイモードを選択する予定情報を作成する。
【００８６】
また、ユーザは、休業日において投影装置１を操作することはないと推定される。この場合、制御部１７２は、休業日においてスタンバイモードを選択し、平日の始業開始前の時刻においてネットワークスタンバイモードを選択する予定情報を作成する。
【００８７】
制御部１７２は、取得した予定情報、又は作成した予定情報を記憶部１６に記憶させる。そして、制御部１７２は、予定情報に基づいて複数の動作モードから使用する動作モードを選択する。
【００８８】
図７は、予定情報に基づいて動作モードを選択した場合の複数の動作モードの累積値を模式的に示す図である。図７（ａ）は、平日において予定情報に基づいて動作モードを選択した場合の複数の動作モードそれぞれに対する経過時間の累積値を模式的に示す図である。図７（ａ）における点灯モード及び非点灯の累積値は、図６（ａ）における点灯モード及び非点灯の累積値と同等である。一方、図７（ａ）におけるスタンバイモードの累積値は、図６（ａ）におけるスタンバイモードの累積値より増加し、図７（ａ）におけるネットワークスタンバイモードの累積値は、図６（ａ）におけるネットワークスタンバイモードの累積値より減少している。
【００８９】
このようにすることで、投影装置１は、非使用状態においてスタンバイモードで動作する時間を長くすることができるので、消費電力を低減することができる。また、投影装置１は、投影装置１が使用される可能性が高くなる始業開始以降の時刻においてネットワークスタンバイモードで動作することにより、ユーザからネットワークを介した操作を受け付けることができる。
【００９０】
図７（ｂ）は、休業日において予定情報に基づいて動作モードを選択した場合の複数の動作モードそれぞれに対する経過時間の累積値を模式的に示す図である。図７（ｂ）における非点灯モードの累積値は、図６（ｂ）の非点灯モードの累積値より減少して０となっている。また、図７（ｂ）において、スタンバイモードの累積値のみが記憶されている。このようにすることで、投影装置１は、休業日における投影装置１の消費電力を低減することができる。
【００９１】
［第２の実施形態に係る投影装置１の効果］
以上説明したように、第２の実施形態に係る投影装置１は、より消費電力の少ない動作モードで動作するように設定された予定情報を作成し、作成した予定情報に基づいて複数の動作モードから使用する動作モードを選択する。このようにすることで、投影装置１は、消費電力の多い動作モードで動作する時間を減少させ、消費電力の少ない動作モードで動作する時間を増加させることができる。そのため、投影装置１は、投影装置１の消費電力を低減することができる。
【００９２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００９３】
１  投影装置
１３  バッテリー
１４  ＲＴＣ
１５  近距離無線部
３４  光源
１７１  特定部
１７２  制御部
【図１】
2019152740.tif 000003
【図２】
2019152740.tif 000004
【図３】
2019152740.tif 000005
【図４】
2019152740.tif 000006
【図５】
2019152740.tif 000007
【図６】
2019152740.tif 000008
【図７】
2019152740.tif 000009